(57)【要約】【課題】締結部材同士のずれの量を著しく減少させ、かつ構造体の基準に対し、他方の部材が相対的に精度良く組み込める２部材からなる構造体を提供することにある。【解決手段】一方の部材２に締結リベット１の外径より大径の穴４を、他方の部材３に前記一方の部材２の前記穴４より大径の穴６を設け、前記一方の部材２から前記締結リベット１を挿入して両部材２、３を締結する２部材からなる構造体において、前記両部材２、３の長手方向にそれらの前記穴４、６が対応する第１締結部１５および第２締結部１６を設け、前記第１締結部１５を最初に締結し、前記第１締結部１５での締結に使用する前記締結リベット１の材質が前記第２締結部１６での締結に使用する前記締結リベット２０の材質と異なる２部材からなる構造体。【選択図】        図２
2004154809.tif 000002
【特許請求の範囲】
【請求項１】
一方の部材に締結リベットの外径より大径の穴を、他方の部材に前記一方の部材の前記穴より大径の穴を設け、前記一方の部材から前記締結リベットを挿入して両部材を締結する２部材からなる構造体において、前記両部材の長手方向にそれらの前記穴が対応する第１締結部および第２締結部を設け、前記第１締結部を最初に締結し、前記第１締結部での締結に使用する前記締結リベットの材質が前記第２締結部での締結に使用する前記締結リベットの材質と異なることを特徴とする２部材からなる構造体。
【請求項２】
前記第１締結部が前記一方の部材の前記穴および前記他方の部材の前記穴を含み、前記第２締結部が前記第１締結部に隣接してかつそれと同一の構成で設けられ、前記第１締結部が基準締結部として最初に締結されることを特徴とする請求項１記載の２部材からなる構造体。
【請求項３】
前記第２締結部に挿入する締結リベットが、基準となる前記第１締結部に挿入する締結リベットより軟らかい材質であることを特徴とする請求項１記載の２部材からなる構造体。
【請求項４】
前記第１締結部および前記第２締結部の他に隣接する複数の締結部を有し、その締結に使用する締結リベットが前記基準側リベットより軟らかい材質からなることを特徴とする請求項２記載の２部材からなる構造体。
【発明の詳細な説明】
【０００１】
【発明の属する技術分野】
本発明は、ブラインドリベットによって締結される２部材からなる構造体に関するものである。
【０００２】
【従来の技術】
２つの部材を１つに接合するために両部材を締結リベットによって接合する技術は広く知られている（例えば、特許文献１参照）。図３は締結すべき２枚の締結部材を示す断面図である。図４は図３の締結部材の穴に締結リベットを挿入した状態を示す断面図である。
【０００３】
例えば、一方の部材２と他方の部材３を締結リベット１によって締結する時、締結リベット１のセット性を考慮して一方の部材２に直径Ｄ１の穴２ａを、他方の部材３に直径Ｄ２の穴３ａを設ける。この２つの穴２ａおよび３ａに締結リベット１を図４のように挿入し、カシメ部材９を図４の矢印Ｃ方向に引く。
【０００４】
図５は２枚の締結部材が締結リベットによって締結された状態を示す断面図である。カシメ部材９が図４のＣ方向に引かれると、それによってカシメ部材９の頭部１２は締結リベット１を変形し、変形部分１３と締結リベット１の頭部１１とによって２枚の部材２、３を押さえ込む。これにより２枚の部材２、３と締結リベット１からなる構造体が構成される。
【０００５】
【特許文献１】
特開平１１−１３７２３号公報
【０００６】
【発明が解決しようとする課題】
一般に構造体にはこれが剛性を有すること、構造体に組み込む部材の相対的位置が正確に得られることの特性が求められる。特許文献１は剛性を有するという特性に対しては、締結時に締結側に形成される膨径部（変形部分）の膨径肉を他方の締結部材の隙間に食込ませてカシメ前の隙間を激減させることによって構造体の剛性を得ている。
【０００７】
しかし、構造体に組み込む部材の相対的位置が正確に得られるという特性に対してはとくに記載はない。複数のリベット締結において、締結毎に部材の取り付け位置がずれてしまう欠点がある。
【０００８】
本発明の目的は、締結部材同士のずれの量を著しく減少させ、かつ構造体の基準に対し、他方の部材が相対的に精度良く組み込める２部材からなる構造体を提供することにある。
【０００９】
【課題を解決するための手段】
前記の課題を解決するために、請求項１記載の発明では、一方の部材に締結リベットの外径より大径の穴を、他方の部材に前記一方の部材の前記穴より大径の穴を設け、前記一方の部材から前記締結リベットを挿入して両部材を締結する２部材からなる構造体において、前記両部材の長手方向にそれらの前記穴が対応する第１締結部および第２締結部を設け、前記第１締結部を最初に締結し、前記第１締結部での締結に使用する前記締結リベットの材質が前記第２締結部での締結に使用する前記締結リベットの材質と異なる２部材からなる構造体を最も主要な特徴とする。
【００１０】
請求項２記載の発明では、前記第１締結部が前記一方の部材の前記穴および前記他方の部材の前記穴を含み、前記第２締結部が前記第１締結部に隣接してかつそれと同一の構成で設けられ、前記第１締結部が基準締結部として最初に締結される請求項１記載の２部材からなる構造体を主要な特徴とする。
【００１１】
請求項３記載の発明では、前記第２締結部に挿入する締結リベットが、基準となる前記第１締結部に挿入する締結リベットより軟らかい材質であることを特徴とする請求項１記載の２部材からなる構造体を主要な特徴とする。
【００１２】
請求項４記載の発明では、前記第１締結部および前記第２締結部の他に隣接する複数の締結部を有し、その締結に使用する締結リベットが基準側リベットより軟らかい材質からなる請求項２記載の２部材からなる構造体。
【００１３】
【発明の実施の形態】
図１は本発明による構造体の締結前の状態を説明する概略図である。本発明の構造体は一方の部材２および他方の部材３、これらを締結する締結リベット（後述）から構成される。
【００１４】
一方の部材２には締結リベット外径より大径の穴４、５を、他方の部材３には前記一方の部材２の穴４、５より大径の穴６、７を設けている。
【００１５】
前記一方の部材２の前記穴４、５および前記他方の部材３の前記穴６、７が、両部材２、３の長手方向外側の穴４および６に関して、前記一方の部材２の前記穴４の直径が前記他方の部材３の前記穴６より小さくなっている。
【００１６】
すなわち、一方の部材２および他方の部材３の穴４および６の穴径φＤ１、φＤ２の大小関係がＤ１＜Ｄ２となるように他方の部材３の穴径を大径とする。
【００１７】
以下に締結順序の必要性を第１締結部１５を初めに締結した場合の構造体の全高（Ｈ’  ）と第２締結部１６を初めに締結した場合の構造体の全高（Ｈ）の差で説明する。この説明を容易にするために図１および図２は変則的に示されている。
【００１８】
図１において、締結前の一方の部材２と他方の部材３の長手方向外側の穴同士の締結を第１締結部（基準側）１５、隣接する長手方向内側の穴同士の締結を第２締結部（従属側）１６として示す。
【００１９】
符号Ａは、第２締結部１６の中心軸を仮想的に一致させた時のピッチ間許容差から生じる第１締結部１５の中心軸のずれを示している。符号Ｈは、初めに第２締結部１６で締結したと仮定した時の構造体の全高を示している。
【００２０】
図２は、一方の部材と他方の部材を締結リベットによって締結した後の本発明による２部材からなる構造体を示す断面図である。
【００２１】
一方の部材２と他方の部材３とを締結する基準側リベット（図１の第１の締結部１５のリベット）１が一方の部材２の外面に頭部（フランジ）１１を置くように両部材２、３の穴４、６を通して挿入され、他方の部材３側から挿入された基準側リベットのマンドレル（カシメ部材）１２によってカシメ接合されている。
【００２２】
このカシメ接合によって基準側リベット１の膨径部１３が生じ、その膨径肉１４が他方の部材３の穴６の隙間に全周に略均等に食い込む。
【００２３】
次に、一方の部材２と他方の部材３とを締結する従属側リベット（図１の第２締結部１６のリベット）２０が一方の部材２の外面に頭部（フランジ）２１を置くように両部材２、３の穴５、７を通して挿入され、他方の部材３側から挿入された従属側リベットのマンドレル２２によってカシメ接合されている。
【００２４】
このカシメ接合によって従属側リベット２０の膨径部２３が生じ、その膨径肉２４が他方の締結部材３の穴７の隙間に全周に略均等に食い込む。ここで、Ｈ’は、初めに第１締結部１５を締結した時の構造体の全高を示し、ＢはＨ−Ｈ’  の差である。
【００２５】
さらに、第１締結部１５を初めに締結した場合について説明すると、図１の仮止め状態では第１締結部１５の中心軸はＡだけずれているが、締結後は他方の部材３側に形成される図２の膨径肉１４が、他方の締結部材３の穴６の隙間に全周略均等に食込むため、第１締結部１５の中心軸は膨径肉１４の作用によって一直線に揃って締結され、このとき構造体の全高はＨ’  となる。
【００２６】
第２締結部１６を初めに締結した場合について説明すると、この場合、前記第１締結部１５を初めに締結した場合と同じ作用が生じ、第２締結部１６の中心軸は揃って締結される。したがって、このときの構造体の全高はＨとなる。
【００２７】
このＨとＨ’  の差Ｂは全高の違いであり、例えば一方の部材２の上面に組み込む場合の部材の高さ（長さ）の違いである。よって、第１締結部１５以外の締結部を初めに締結してしまうと、構造体の基準から全ての部材の取付け位置がずれてしまうことになり、構造体に組み込む部材の相対位置が正確に得られなくなる。
【００２８】
すなわち、他方の部材３のリベット挿入穴より小さいリベット挿入穴を有する一方の部材２と他方の部材３をリベットでカシメ接合する場合に、設計基準寸法を有する構造体を得るためには、第１締結部１５、すなわち、両部材２、３の長手方向外側の穴の締結が最初に行われねばならない。
【００２９】
第２締結部１６の締結では、初めに締結した第１締結部１５の基準側リベット１の加工効果により、基準側リベット１は第２締結部１６の従属側リベット２０の硬度より硬度が増しているため、第２締結部１６の従属側リベット２０の締結により、第１締結部１５の中心軸はずれることなく締結が完了する。
【００３０】
図２ではリベット挿入方向が同一側として示したが、本発明は、図示してないがリベット挿入方向を第１締結部１５と第２締結部１６と対向させることもでき、これらの締結部１５および１６に加えて第２締結部１６に隣接して締結部が三箇所或いはそれ以上ある場合も適用可能である。
【００３１】
また、図示しないが、例えば、第１締結部１５の基準側リベット１を鉄系で構成し、隣接する第２締結部１６の従属側リベット２０をアルミとして構成することができる。さらに、基準側リベット１をアルミ、従属側リベット２０を非金属として構成することも可能である。
【００３２】
本発明は、ブラインドリベットによりカシメ締結される各種物品に応用可能である。
【００３３】
【発明の効果】
以上説明したように、請求項１、２および３によれば、基準となる締結部を初めに締結し、次に他の締結部を締結するため、構造体に組み込む部材の相対位置が正確に得られる２部材からなる構造体を提供できる。
【００３４】
請求項４によれば、複数の従属側締結部を有するため、より高い剛性を有する２部材からなる構造体が得られる。
【図面の簡単な説明】
【図１】本発明による構造体の締結前の状態を説明する概略図である。
【図２】一方の部材と他方の部材を締結リベットによって締結した後の本発明による２部材からなる構造体を示す断面図である。
【図３】締結すべき２枚の締結部材を示す断面図である。
【図４】図３の締結部材の穴に締結リベットを挿入した状態を示す断面図である。
【図５】２枚の締結部材が締結リベットによって締結された状態を示す断面図である。
【符号の説明】
１  締結リベット（基準側リベット）
２  一方の部材
３  他方の部材
４  一方の部材の穴
６  他方の部材の穴
１５  第１締結部
１６  第２締結部
２０  締結リベット（従属側リベット）
【図１】
2004154809.tif 000003
【図２】
2004154809.tif 000004
【図３】
2004154809.tif 000005
【図４】
2004154809.tif 000006
【図５】
2004154809.tif 000007